(57)【要約】【課題】小屋裏空間にロフトを設けた場合であっても、このロフト下方への採光性および断熱性を向上させることが可能な建物を提供することを目的とする。【解決手段】少なくとも棟部２０と、この棟部２０を挟んで傾斜する２つの屋根面２１，２２とを有する屋根２の下方に小屋裏空間２３を備えてなり、屋根２には開閉可能に構成されたトップライト２１ａ，２２ａが設けられ、小屋裏空間２３には、トップライト２１ａ，２２ａの直下に位置するロフト２４が設けられており、このロフト２４の床部２５は、光透過性、光拡散性および断熱性を有する部材で構成されている建物１。これにより、トップライトから取り込んだ光をロフトの床部の下方へと通過させ、床部の下方のスペースに対して全体的に採光でき、さらにロフト周囲の熱気を温度上昇を防ぐことができる。【選択図】図１
2010281094.tif 000002
【特許請求の範囲】
【請求項１】
少なくとも棟部と、この棟部を挟んで傾斜する２つの屋根面とを有する屋根の下方に小屋裏空間を備えてなる建物において、
前記屋根には開閉可能に構成されたトップライトが設けられ、前記小屋裏空間には、前記トップライトの直下に位置するロフトが設けられており、
このロフトの床部は、光透過性、光拡散性および断熱性を有する部材で構成されていることを特徴とする建物。
【請求項２】
請求項１に記載の建物において、
前記屋根の２つの屋根面のうち、一方の屋根面は、建物が建築される地域の夏季の主風方向に対応する方向に面するようにして傾斜しており、他方の屋根面は、前記一方の屋根面とは反対の方向に面するようにして傾斜しており、
前記トップライトは、前記棟部を介して、前記一方および他方の屋根面側にそれぞれ設けられており、
前記一方の屋根面側に設けられるトップライトは、夏季の主風向に対応する方向に向かって開放可能であり、前記他方の屋根面側に設けられるトップライトは、夏季の主風向に対応する方向とは反対の方向に向かって開放可能であることを特徴とする建物。
【請求項３】
請求項１または２に記載の建物において、
前記ロフトの、前記トップライトの並設方向に沿う両端部に、このロフトに出入りするための出入口が設けられており、
これら出入口には開閉自在に構成された戸がそれぞれ設けられていることを特徴とする建物。
【請求項４】
請求項１〜３のいずれか一項に記載の建物において、
前記ロフトの下方には、下階から上階に吹き抜ける吹き抜け部が設けられていることを特徴とする建物。
【請求項５】
請求項１〜５のいずれか一項に記載の建物において、
前記トップライトは、遮熱性および光透過性を有する部材で構成されていることを特徴とする建物。
【発明の詳細な説明】
【技術分野】
【０００１】
本発明は、少なくとも棟部と、この棟部を挟んで傾斜する２つの屋根面とを有する屋根の下方に小屋裏空間を備えてなる建物に関する。
【背景技術】
【０００２】
収納所や寝台として利用されるロフトを有する部屋構造の一例として、特許文献１に記載のものが知られており、この特許文献１に記載のロフトは、屋根と建物本体との間に形成された小屋裏空間を利用して設けられている。
また、このロフトとされた小屋裏空間は、上階の床から屋根まで吹き抜ける吹抜け部と連通されており、上階の部屋から、梯子等を用いて出入りが可能となっている。
【先行技術文献】
【特許文献】
【０００３】
【特許文献１】特開２００３−３０１５２０号公報
【発明の概要】
【発明が解決しようとする課題】
【０００４】
ところで、特許文献１に記載のように小屋裏空間にロフトが設けられる場合は、小屋裏空間にロフトが設けられない場合に比して採光が確保しにくいという問題がある。すなわち、小屋裏空間にロフトが設けられなければ、屋根にトップライトを設けることで採光を確保できるが、小屋裏空間にロフトを設けてしまうと、屋根にトップライトを設けても、ロフトの床部によって太陽光が遮られてしまうためである。
さらに、このようにロフトの床部によって太陽光が遮られてしまうと、ロフト内が太陽光によって暖められるだけでなく、ロフトの床部も太陽光に暖められてしまい、特に夏季においては、ロフト周囲の温度が上昇してしまうという問題がある。
そこで、小屋裏空間にロフトを設けながら、ロフトの床部の下方への採光を確保できるような技術の開発が望まれている。
【０００５】
本発明の課題は、小屋裏空間にロフトを設けた場合であっても、このロフト下方への採光性および断熱性を向上させることが可能な建物を提供することを目的とする。
【課題を解決するための手段】
【０００６】
請求項１に記載の発明は、例えば図１に示すように、少なくとも棟部２０と、この棟部２０を挟んで傾斜する２つの屋根面２１，２２とを有する屋根２の下方に小屋裏空間２３を備えてなる建物１において、
前記屋根２には開閉可能に構成されたトップライト２１ａ，２２ａが設けられ、前記小屋裏空間２３には、前記トップライト２１ａ，２２ａの直下に位置するロフト２４が設けられており、
このロフト２４の床部２５は、光透過性、光拡散性および断熱性を有する部材で構成されていることを特徴とする。
【０００７】
請求項１に記載の発明によれば、前記屋根２には開閉可能に構成されたトップライト２１ａ，２２ａが設けられ、前記小屋裏空間２３には、前記トップライト２１ａ，２２ａの直下に位置するロフト２４が設けられており、このロフト２４の床部２５は、光透過性、光拡散性および断熱性を有する部材で構成されているので、前記トップライト２１ａ，２２ａから建物外部の光を取り込むことができ、取り込んだ光を、前記ロフト２４の床部２５を介して、このロフト２４の床部２５の下方へと通過させることができる。さらに、取り込んだ光は、前記ロフト２４の床部２５によって拡散されることになるので、前記ロフト２４の床部２５の下方に設けられる部屋等の空間に対して全体的に採光できる。また、このロフト２４の床部２５によって、前記ロフト２４から該ロフト２４の床部２５の下方への熱の伝達を確実に防ぐことができるとともに、前記開閉可能に構成されたトップライト２１ａ，２２ａを通じて、前記ロフト２４内の熱気を建物外部へと確実に排気できる。
これによって、前記トップライト２１ａ，２２ａから光を取り込みながら、前記ロフト２４の床部２５の下方への熱の伝達を確実に防ぐことができるので、採光性および断熱性の向上を図ることができ、快適な居住環境を形成することが可能となる。
【０００８】
請求項２に記載の発明は、例えば図１に示すように、請求項１に記載の建物１において、
前記屋根２の２つの屋根面２１，２２のうち、一方の屋根面２１は、建物１が建築される地域の夏季の主風方向に対応する方向に面するようにして傾斜しており、他方の屋根面２２は、前記一方の屋根面２１とは反対の方向に面するようにして傾斜しており、
前記トップライト２１ａ，２２ａは、前記棟部２０を介して、前記一方および他方の屋根面２１，２２側にそれぞれ設けられており、
前記一方の屋根面２１側に設けられるトップライト２１ａは、夏季の主風向に対応する方向に向かって開放可能であり、前記他方の屋根面２２側に設けられるトップライト２２ａは、夏季の主風向に対応する方向とは反対の方向に向かって開放可能であることを特徴とする。
【０００９】
請求項２に記載の発明によれば、前記一方の屋根面２１は、建物１が建築される地域の夏季の主風方向に対応する方向に面するようにして傾斜しており、前記他方の屋根面２２は、前記一方の屋根面２１とは反対の方向に面するようにして傾斜しており、前記トップライト２１ａは、夏季の主風向に対応する方向に向かって開放可能であり、前記トップライト２２ａは、夏季の主風向に対応する方向とは反対の方向に向かって開放可能であることから、特に夏季において、前記トップライト２１ａ，２２ａの双方を開放させることによって、風を前記ロフト２４内を通過させることができる。
これによって、前記ロフト２４内の熱気を建物外部へと、より確実かつ容易に排気できるので、前記ロフト２４の床部２５の下方への熱の伝達をより確実に防ぐことができる。
【００１０】
請求項３に記載の発明は、例えば図１に示すように、請求項１または２に記載の建物において、
前記ロフト２４の、前記トップライト２１ａ，２２ａの並設方向に沿う両端部に、このロフト２４に出入りするための出入口２６，２７が設けられており、
これら出入口２６，２７には開閉自在に構成された戸２６ａ，２７ａがそれぞれ設けられていることを特徴とする。
【００１１】
請求項３に記載の発明によれば、前記ロフト２４の、前記トップライト２１ａ，２２ａの並設方向に沿う両端部に、このロフト２４に出入りするための出入口２６，２７が設けられており、これら出入口２６，２７には開閉自在に構成された戸２６ａ，２７ａがそれぞれ設けられているので、これら出入口２６，２７と前記トップライト２１ａ，２２ａとを開放しておくことで、建物内部の換気効率を向上させることができる。また、前記トップライト２１ａ，２２ａを閉塞し、前記出入口２６，２７を開放しておくことで、例えば建物内部で空調設備を使用する際に、建物全体に暖められた空気または涼しい空気を流通させることができる。さらに、前記一方のトップライト２１ａと、このトップライト２１ａと対角の関係にある出入口２７とを開放し、前記他方のトップライト２２ａおよび出入口２６を閉塞することで、例えば夏季において、取り込んだ風を建物内部に効率良く流入させることができる。
すなわち、このように前記トップライト２１ａ，２２ａと、前記出入口２６，２７とを、適宜、開放または閉塞することができるので、建物内部の空気の流通をコントロールすることができる。
【００１２】
請求項４に記載の発明は、例えば図１〜図３に示すように、請求項１〜３のいずれか一項に記載の建物において、
前記ロフト２４の下方には、下階１ｂから上階１ａに吹き抜ける吹き抜け部１０ａが設けられていることを特徴とする。
【００１３】
請求項４に記載の発明によれば、前記ロフト２４の下方には、下階１ｂから上階１ａに吹き抜ける吹き抜け部１０ａが設けられているので、前記ロフト２４の床部２５を通過して拡散した光を、建物１の上階１ａだけでなく、前記吹き抜け部１０ａを通じて下階１ｂにも取り入れることができる。これによって、建物１全体の採光性を向上させることができる。
【００１４】
請求項５に記載の発明は、例えば図１に示すように、請求項１〜５のいずれか一項に記載の建物において、
前記トップライト２１ａ，２２ａは、遮熱性および光透過性を有する部材で構成されていることを特徴とする。
【００１５】
請求項５に記載の発明によれば、前記トップライト２１ａ，２２ａは、遮熱性および光透過性を有する部材で構成されているので、これら前記トップライト２１ａ，２２ａを閉塞することで太陽の熱を遮ることができ、前記ロフト２４内の温度上昇を防ぐことができる。また、このように前記ロフト２４内の温度上昇を防ぎながら、太陽光を前記ロフト２４内に取り入れることができる。
【発明の効果】
【００１６】
本発明によれば、屋根には開閉可能に構成されたトップライトが設けられ、小屋裏空間には、トップライトの直下に位置するロフトが設けられており、このロフトの床部は、光透過性、光拡散性および断熱性を有する部材で構成されているので、トップライトから建物外部の光を取り込むことができ、取り込んだ光を、ロフトの床部を介して、このロフトの床部の下方へと通過させることができる。さらに、取り込んだ光は、ロフトの床部によって拡散されることになるので、ロフトの床部の下方に設けられる部屋等の空間に対して全体的に採光できる。また、このロフトの床部によって、ロフトから該ロフトの床部の下方への熱の伝達を確実に防ぐことができるとともに、開閉可能に構成されたトップライトを通じて、ロフト内の熱気を建物外部へと確実に排気できる。
これによって、トップライトから光を取り込みながら、ロフトの床部の下方への熱の伝達を確実に防ぐことができるので、採光性および断熱性の向上を図ることができ、快適な居住環境を形成することが可能となる。
【図面の簡単な説明】
【００１７】
【図１】本発明の建物の一例を示す側断面図である。なお、図中右側が北である。
【図２】図１に示す建物の下階の平面図である。なお、図中上側が北である。
【図３】図１に示す建物の上階の平面図である。なお、図中上側が北である。
【発明を実施するための形態】
【００１８】
以下、図面を参照して本発明の実施の形態について説明する。
図１は本発明に係る建物の一例を示す側断面図である。
図１において符号１は、建物を示す。この建物１は、建物本体と、この建物本体の上部に設けられる屋根２とを備えている。
前記建物本体は、上階１ａと下階１ｂとを有している。
また、前記屋根２は、少なくとも棟部２０と、この棟部２０を挟んで傾斜する２つの屋根面２１，２２とを有している。なお、本実施の形態の屋根２は切妻屋根とするが、これに限られず、例えば寄棟屋根や入母屋屋根等であってもよい。
また、この屋根２には、開閉可能に更正されたトップライト２１ａ，２２ａが設けられている。
さらに、前記屋根２の下方には小屋裏空間２３が設けられており、この小屋裏空間２３には、前記トップライト２１ａ，２２ａの直下に位置するロフト２４が設けられている。
【００１９】
前記屋根２の２つの屋根面２１，２２のうち、一方の屋根面２１は、建物１が建築される地域の夏季の主風方向に対応する方向に面するようにして傾斜しており、他方の屋根面２２は、前記一方の屋根面２１とは反対の方向に面するようにして傾斜している。
なお、本実施の形態においては、夏季の主風向を、南から北に向かって風が吹く方向としており、その反対の方向とは、北から南に向かって風が吹く方向としている。図中における方角は、図１では右側が北であり、図２および図３では上側が北である。
【００２０】
また、前記トップライト２１ａ，２２ａは、前記棟部２０を介して、前記一方および他方の屋根面２１，２２側にそれぞれ設けられている。また、これらトップライト２１ａ，２２ａは、前記棟部２０から、前記一方および他方の屋根面２１，２２の傾斜方向下方に向かって等しい距離に配置されている。
さらに、前記一方の屋根面２１側に設けられるトップライト２１ａは、夏季の主風向に対応する方向に向かって開放可能となっており、前記他方の屋根面２２側に設けられるトップライト２２ａは、夏季の主風向に対応する方向とは反対の方向に向かって開放可能となっている。すなわち、前記トップライト２１ａは南に向かって開放可能であり、前記トップライト２２ａは北に向かって開放可能である。
【００２１】
なお、これらトップライト２１ａ，２２ａは、遮熱性および光透過性を有する部材で構成されている。
ここで、本実施の形態においては、遮熱性および光透過性を有する部材として、例えば、室外側に遮熱タイプのＬｏｗ−Ｅガラス板材を設け、室内側にガラス板材を設け、これらガラス板材を複層ガラスとして構成したものが用いられている。
Ｌｏｗ−Ｅガラスとは、板ガラスの表面に特殊金属膜をコーティングしたものであり、この特殊金属膜であるＬｏｗ−Ｅ膜が遠赤外線の反射率を高める性質を有している。このため、Ｌｏｗ−Ｅガラス板材を複層ガラスに使用することで、放射による熱伝達を低減し、高断熱性能の実現が可能となっている。Ｌｏｗ−ＥとはＬｏｗ  Ｅｍｉｓｓｉｖｉｔｙの略で「低放射」を意味している。
また、遮熱性および光透過性を有する部材としては、これに限られるものではなく、本発明の趣旨を逸脱しない範囲で適宜変更可能である。
【００２２】
前記小屋裏空間２３は、前記屋根２の下方に設けられており、前記ロフト２４だけでなく、建物本体の上階１ａに設けられる各部屋１７，１８，１９の上部も含んで構成されている。すなわち、これら上階１ａの部屋１７，１８，１９の天井は、前記屋根２の傾斜と同じように傾斜していることとなる。
【００２３】
前記ロフト２４は、側断面視において、前記小屋裏空間２３の略中央に位置しており、前記部屋１７，１８，１９の上部に隣り合うようにして配置されている。
また、前記ロフト２４の、前記トップライト２１ａ，２２ａの並設方向に沿う両端部に、このロフト２４に出入りするための出入口２６，２７が設けられており、これら出入口２６，２７には開閉自在に構成された戸２６ａ，２７ａがそれぞれ設けられている。
【００２４】
さらに、前記ロフト２４の床部２５は、光透過性、光拡散性および断熱性を有する部材で構成されている。すなわち、この床部２５は、建物躯体に所定の間隔をあけて並設固定される複数の梁２５ａ…と、これら複数の梁２５ａ…間に設けられ、光透過性、光拡散性および断熱性を有する部材である矩形板状の床本体２５ａと、前記複数の梁２５ａ…に固定されるとともに、桟材を縦横に組んでなり、前記床本体２５ｂを支持する支持体２５ｂとからなる。なお、本実施の形態において、前記床部２５は、このような構成としたが、これに限られるものではなく、本発明の趣旨を逸脱しない範囲で適宜変更可能である。
ここで、本実施の形態においては、光透過性、光拡散性および断熱性を有する部材として、例えば、強化ガラス等の光透過性を有する板材に、光拡散性を有するシートを貼り付けて、光透過性および光拡散性を有する板材を構成し、さらに、この板材と、この板材と対になるとともに少なくとも光透過性を有する板材との間に空気層または真空層を形成してなる複層ガラスが用いられている。
また、光透過性、光拡散性および断熱性を有する部材としては、これに限られるものではなく、本発明の趣旨を逸脱しない範囲で適宜変更可能である。
【００２５】
さらに、前記小屋裏空間２３には、前記屋根２に固定されるようにしてシーリングファン２３ａが設けられている。そして、このシーリングファン２３ａを稼動させることによって、ロフト２４内、延いては、前記ロフト２４の出入口２６，２７を通じて建物内部の換気を促すことができるようになっている。
【００２６】
一方、前記ロフト２４の下方には、図１〜図３に示すように、下階１ｂから上階１ａに吹き抜ける吹き抜け部１０ａが設けられている。これにより、前記ロフト２４の床部２５を通過して拡散した光を、建物１の上階１ａだけでなく、前記吹き抜け部１０ａを通じて下階１ｂにも取り入れることができる。
【００２７】
なお、前記屋根２に設けられるトップライト２１ａ，２２ａは、前記第１部屋１０からリモコン等によって遠隔操作できるようになっている。また、前記ロフト２４の出入口２６，２７を開閉する戸２６ａ，２７ａも同じく、リモコン等によって遠隔操作できる構成とすることが好ましい。
【００２８】
次に、以上のような本実施の形態における採光および換気の形態について説明する。
採光については、前記トップライト２１ａ，２２ａから取ることができる。すなわち、前記ロフト２４の床部２５が、光透過性、光拡散性および断熱性を有する部材で構成されているので、前記トップライト２１ａ，２２ａから建物外部の光を取り込むことができ、取り込んだ光を、前記ロフト２４の床部２５を介して、このロフト２４の床部２５の下方へと通過させることができる。
【００２９】
さらに、取り込んだ光は、前記ロフト２４の床部２５によって拡散されることになるので、前記ロフト２４の床部２５の下方に設けられる部屋等の空間に対して全体的に採光できる。
【００３０】
また、このロフト２４の床部２５によって、前記ロフト２４から該ロフト２４の床部２５の下方への熱の伝達を確実に防ぐことができるとともに、前記開閉可能に構成されたトップライト２１ａ，２２ａを通じて、前記ロフト２４内の熱気を建物外部へと確実に排気できるようになっている。
【００３１】
換気については、前記ロフト２４の出入口２６，２７と前記トップライト２１ａ，２２ａとを開放しておくことで、建物内部の換気効率を向上させることができるようになっている。さらに、前記小屋裏空間２３には前記シーリングファン２３ａが設けられているので、換気効率は格段に優れたものとなる。
【００３２】
また、前記トップライト２１ａ，２２ａを閉塞し、前記出入口２６，２７を開放しておくことで、例えば建物内部で空調設備を使用する際に、建物全体に暖められた空気または涼しい空気を流通させることができる。
【００３３】
さらに、前記一方のトップライト２１ａと、このトップライト２１ａと対角の関係にある出入口２７とを開放し、前記他方のトップライト２２ａおよび出入口２６を閉塞することで、例えば夏季において、取り込んだ風を建物内部に効率良く流入させることができる。つまり、前記他方のトップライト２２ａおよび出入口２６を閉塞しているので、前記トップライト２１ａから前記出入口２７に至る風の通り道が形成されることになる。したがって、前記トップライト２１ａからロフト２４内に入ってきた風は、前記出入口２７を通じて建物内部へと効率良く流れ込んでくることになる。
【００３４】
すなわち、このように前記トップライト２１ａ，２２ａと、前記出入口２６，２７とを、適宜、開放または閉塞することができるので、建物内部の空気の流通をコントロールできるようになっている。
【００３５】
次に、本実施の形態の建物１の建物本体について説明する。
本実施の形態の建物本体は、前記屋根２の屋根面２１の下方に、南側に面して配置される南側外壁３と、前記屋根２の屋根面２２の下方に、北側に面して配置される北側外壁４とを備えている。
また、前記南側外壁３の上階部分にはバルコニー５が設けられており、下階部分には玄関出入口８が設けられている。そして、前記南側外壁３のうち、上階部分に前記バルコニー５が設けられ、かつ下階部分に前記玄関出入口８が設けられていない部分の建物内部側に第１部屋１０が配置されている。
【００３６】
この第１部屋１０は、図２および図３に示すように、下階１ｂから上階１ａに吹き抜ける吹き抜け部１０ａと、この吹き抜け部１０ａに隣接するとともに下階床から下階天井までの高さの居間１０ｂとを備えている。
前記吹き抜け部１０ａは、建物本体の東側端部付近に配置されており、前記居間１０ｂは、建物本体の中央付近に配置されている。
【００３７】
前記バルコニー５は、上階１ａと下階１ｂとの間の高さに位置するとともに該南側外壁３から建物外部側へと張り出す床部６と、この床部６の周縁部に立設される手摺り７とを備えている。
【００３８】
また、前記吹き抜け部１０ａの北側にはキッチン１４が配置されている。
また、前記吹き抜け部１０ａ内には、上階１ａと下階１ｂとを行き来するための階段１５が設けられている。
また、前記居間１０ｂには、前記第２部屋１１へと繋がる出入口１０ｃが、この居間１０ｂの北西付近に設けられている。
さらに、前記第１部屋１０の建物外部側には、前記バルコニー５の下方に位置するデッキ１０ｄが設けられている。
【００３９】
また、前記北側外壁４のうち、前記南側外壁３の玄関出入口８と対向する部分の建物内部側に第２部屋１１が配置されている。
この第２部屋１１は、下階１ｂから上階１ａに吹き抜ける吹き抜け部となっており、この第２部屋１１の上部１１ａには排気手段が設けられている。
【００４０】
この排気手段は、前記北側外壁４に形成されるとともに、前記第２部屋１１と建物外部とを連通する開閉可能な窓１１ｂと、前記第２部屋１１の上方に位置する屋根２に設けられる開閉可能なトップライト（図示せず）とである。これにより、これら窓１１ｂとトップライトとを開放することによって第２部屋１１の上部１１ａに溜まる暖かい空気を排気できるようになっている。
【００４１】
また、前記北側外壁４には、前記第２部屋１１の下部と建物外部とを連通する窓１１ｃが形成されており、この窓１１ｃと前記玄関出入口８とを開放しておけば、風を南北に通り抜けさせることができる。
これによって、風を前記玄関出入口８から前記第２部屋１１へと確実に取り入れながら、この第２部屋１１内の暖かい空気を前記排気手段によって排気することができるので、夏季における前記第２部屋１１の快適な居住環境を形成することが可能となる。
【００４２】
さらに、この第２部屋１１と前記玄関出入口８とは、これら玄関出入口８と第２部屋１１との間に配置される玄関ホール部９によって接続されている。
この玄関ホール部９は、前記玄関出入口８から建物内部に進んだ部分に配置される玄関土間９ａと、この玄関土間９ａよりも一段高いホール９ｂとからなる。また、この玄関ホール部９と前記第２部屋１１の床面は土間で構成されており、これら第２部屋１１および玄関ホール部９内の空気を比較的低温に保つことができるようになっている。
【００４３】
また、前記南側外壁３の建物内部側面には、図１および図３に示すように、前記バルコニーの床部６と略等しい高さに、該床部６と連続的に配置されるとともに、前記第１部屋１０側に突出する突出床部１２が設けられている。
すなわち、この突出床部１２は、前記第１部屋１０の吹き抜け部１０ａに向かって突出するようにして設けられている。
また、この突出床部１２は、上階１ａの前記第１部屋１０の居間１０ｂの上方に配置されるとともに、前記バルコニー５に隣接する部屋１７の床と連続的に設けられている。
さらに、突出床部１２の縁部には、前記第１部屋１０の吹き抜け部１０ａに面する手摺り１３が立設されている。
【００４４】
ここで、前記突出床部１２および手摺り１３は、前記バルコニー５の床部６および手摺り７とは光透過性を有する部材で構成されている。
なお、光透過性を有する部材とは、例えば、半透明なスリガラスや樹脂板で形成されたもので、透明ではないが光透過性を有する板材を指している。このように光透過性を有する部材で構成することで、例えば冬季の比較的入射角の低い太陽光を、確実に建物内部へと入射させることができる。
また、前記突出床部１２や手摺り１３等のように建物内部に設けるものは、光透過性だけでなく、光拡散性を有していてもよいものとする。これによって、太陽光を建物内部に広く拡散させることができるので、好ましい。なお、本実施の形態においては、前記突出床部１２が光透過性および光拡散性を有しているものとする。
【００４５】
前記バルコニー５の床部６は、前記光透過性を有する部材である矩形板状の床本体６ａと、バルコニー５周囲の外壁や小壁や梁等に固定されるとともに、桟材を縦横に組んでなり、前記床本体６ａを支持する支持体６ｂとからなる。
また、前記手摺り７は、矩形板状に形成されるとともに、前記床部６の支持体６ｂが固定される外壁や小壁や梁等の上面に立設されており、さらに、その上端部には、手を乗せるための笠木が取り付けられて構成されている。
さらに、この手摺り７は、平面視において略Ｌ字状に形成されており、前記バルコニー５の長手方向に沿って設けられるだけでなく、短手方向に沿って設けられている。
【００４６】
また、前記突出床部１２は、前記光透過性を有する部材である矩形板状の床本体１２ａと、該突出床部１２周囲の外壁や小壁や梁等に固定されるとともに、桟材を縦横に組んでなり、前記床本体１２ａを支持する支持体１２ｂとからなる。
また、前記手摺り１３は、矩形板状に形成されるとともに、前記突出床部１２の支持体１２ｂが固定される外壁や小壁や梁等の上面に立設されており、さらに、その上端部には、手を乗せるための笠木が取り付けられて構成されている。
【００４７】
そして、以上のように前記突出床部１２および手摺り１３と、前記バルコニー５の床部６および手摺り７とが光透過性を有する部材で構成されているので、例えば冬季の比較的入射角の低い太陽光を、これら突出床部１２とバルコニー５の床部６と手摺り７とによって遮られずに建物内部へと入射させることができる。これによって、建物内部への採光性を向上させることができるので、冬季における前記第１部屋１０の快適な居住環境を形成することが可能となる。
【００４８】
すなわち、前記第２部屋１１では、夏季においても過ごしやすくなる構成となっているため、居住者は、夏季と冬季とで、家族が集まる主たる居住の間を変更できるという選択肢を持つことができ、冬季においても、また夏季においても快適に過ごすことが可能となる。
また、このような選択肢を活かすために、前記第２部屋１１とキッチン１４との間には、これら第２部屋１１とキッチン１４とを接続する廊下１４ａが配置されており、料理等を前記第２部屋１１に近距離で運ぶことができるようになっている。
また、前記第１部屋１０の居間１０ｂと、前記第２部屋１１との間には、前記出入口１０ｃが設けられており、これら第１部屋１０と第２部屋１１との移動も近距離で行えるようになっている。
これにより、前記第１部屋１０と第２部屋１１とを結ぶ生活導線を近距離２ルート分確保することができるので、居住者が、夏季と冬季とで、家族が集まる主たる居住の間を変更する際に簡便である。
【００４９】
一方、前記吹き抜け部１０ａ内には、図１〜図３に示すように、階段１５が設けられている。この階段１５を上がった部分には、上階１ａを東西に貫く廊下１６が設けられている。また、この廊下に１６に沿って、上階１ａの北側に前記部屋１８，１９が並設配置されている。さらに、前記第１部屋１０の居間１０ｂの上方には、前記部屋１７が配置されている。
これら部屋１７，１８，１９には、建物１の南側および北側に、出入口１７ａ，１８ａ，１９ａまたは窓１７ｂ，１８ｂ，１９ｂが設けられている。したがって、これら出入口１７ａ，１８ａ，１９ａおよび窓１７ｂ，１８ｂ，１９ｂを開放しておけば、前記南側外壁３に設けられた窓を開放して取り込んだ風を、建物１の上階１ａを通過させて、さらに、北側から建物外部へと排気できるようになっている。
【００５０】
また、前記廊下１６の西側端部には、図３に示すように、この廊下１６と前記第２部屋１１の上部１１ａとを連通する開口部１６ａが設けられている。これによって、前記廊下１６を通過する空気と、前記部屋１７の出入口１７ａから出てくる空気を、前記第２部屋１１の上部１１ａへと送ることができ、前記窓１１ｂまたはトップライトから排出できるようになっている。
【００５１】
以上のように、本実施の形態の建物本体は、採光性および換気性に優れている。したがって、本実施の形態のロフト２４周囲の採光性や通風性、断熱性による効果と、建物本体の採光性および換気性による効果とが相俟って、居住者にとって格段に快適な居住環境を形成することが可能となっている。
【００５２】
本実施の形態によれば、前記屋根２には開閉可能に構成されたトップライト２１ａ，２２ａが設けられ、前記小屋裏空間２３には、前記トップライト２１ａ，２２ａの直下に位置するロフト２４が設けられており、このロフト２４の床部２５は、光透過性、光拡散性および断熱性を有する部材で構成されているので、前記トップライト２１ａ，２２ａから建物外部の光を取り込むことができ、取り込んだ光を、前記ロフト２４の床部２５を介して、このロフト２４の床部２５の下方へと通過させることができる。さらに、取り込んだ光は、前記ロフト２４の床部２５によって拡散されることになるので、前記ロフト２４の床部２５の下方に設けられる部屋等の空間に対して全体的に採光できる。また、このロフト２４の床部２５によって、前記ロフト２４から該ロフト２４の床部２５の下方への熱の伝達を確実に防ぐことができるとともに、前記開閉可能に構成されたトップライト２１ａ，２２ａを通じて、前記ロフト２４内の熱気を建物外部へと確実に排気できる。
これによって、前記トップライト２１ａ，２２ａから光を取り込みながら、前記ロフト２４の床部２５の下方への熱の伝達を確実に防ぐことができるので、採光性および断熱性の向上を図ることができ、快適な居住環境を形成することが可能となる。
【００５３】
また、前記一方の屋根面２１は、建物１が建築される地域の夏季の主風方向に対応する方向に面するようにして傾斜しており、前記他方の屋根面２２は、前記一方の屋根面２１とは反対の方向に面するようにして傾斜しており、前記トップライト２１ａは、夏季の主風向に対応する方向に向かって開放可能であり、前記トップライト２２ａは、夏季の主風向に対応する方向とは反対の方向に向かって開放可能であることから、特に夏季において、前記トップライト２１ａ，２２ａの双方を開放させることによって、風を前記ロフト２４内を通過させることができる。
これによって、前記ロフト２４内の熱気を建物外部へと、より確実かつ容易に排気できるので、前記ロフト２４の床部２５の下方への熱の伝達をより確実に防ぐことができる。
【００５４】
また、前記ロフト２４の、前記トップライト２１ａ，２２ａの並設方向に沿う両端部に、このロフト２４に出入りするための出入口２６，２７が設けられており、これら出入口２６，２７には開閉自在に構成された戸２６ａ，２７ａがそれぞれ設けられているので、これら出入口２６，２７と前記トップライト２１ａ，２２ａとを開放しておくことで、建物内部の換気効率を向上させることができる。また、前記トップライト２１ａ，２２ａを閉塞し、前記出入口２６，２７を開放しておくことで、例えば建物内部で空調設備を使用する際に、建物全体に暖められた空気または涼しい空気を流通させることができる。さらに、前記一方のトップライト２１ａと、このトップライト２１ａと対角の関係にある出入口２７とを開放し、前記他方のトップライト２２ａおよび出入口２６を閉塞することで、例えば夏季において、取り込んだ風を建物内部に効率良く流入させることができる。
すなわち、このように前記トップライト２１ａ，２２ａと、前記出入口２６，２７とを、適宜、開放または閉塞することができるので、建物内部の空気の流通をコントロールすることができる。
【００５５】
また、前記ロフト２４の下方には、下階１ｂから上階１ａに吹き抜ける吹き抜け部１０ａが設けられているので、前記ロフト２４の床部２５を通過して拡散した光を、建物１の上階１ａだけでなく、前記吹き抜け部１０ａを通じて下階１ｂにも取り入れることができる。これによって、建物１全体の採光性を向上させることができる。
【００５６】
また、前記トップライト２１ａ，２２ａは、遮熱性および光透過性を有する部材で構成されているので、これら前記トップライト２１ａ，２２ａを閉塞することで太陽の熱を遮ることができ、前記ロフト２４内の温度上昇を防ぐことができる。また、このように前記ロフト２４内の温度上昇を防ぎながら、太陽光を前記ロフト２４内に取り入れることができる。
【符号の説明】
【００５７】
１  建物
２  屋根
２０  棟部
２１  屋根面
２１ａ  トップライト
２２  屋根面
２２ａ  トップライト
２３  小屋裏空間
２４  ロフト
２５  床部
【図１】
2010281094.tif 000003
【図２】
2010281094.tif 000004
【図３】
2010281094.tif 000005